(57)【要約】  頭部検出手段８１は、投影手段から投影される投影画像と移動体とを共に撮影した画像である撮影画像から移動体の頭部領域を検出する。動き検知手段８２は、撮影画像から検出された頭部領域の時系列の変化に基づいて、移動体の頭部の移動方向および移動量を算出する。防眩処理手段８３は、頭部領域に対応する投影画像の各画素に眩しさを低減させる処理を行う。また、防眩処理手段８３は、移動方向および移動量に基づいて、眩しさを低減させる処理を行う画素を変化させる。
2013186994.tif 000002
【特許請求の範囲】
【請求項１】
投影手段から投影される投影画像と移動体とを共に撮影した画像である撮影画像から移動体の頭部領域を検出する頭部検出手段と、
前記撮影画像から検出された頭部領域の時系列の変化に基づいて、前記移動体の頭部の移動方向および移動量を算出する動き検知手段と、
前記頭部領域に対応する前記投影画像の各画素に眩しさを低減させる処理を行う防眩処理手段とを備え、
前記防眩処理手段は、前記移動方向および移動量に基づいて、前記眩しさを低減させる処理を行う画素を変化させる
ことを特徴とする投射型投影装置。
【請求項２】
防眩処理手段は、頭部の移動量が予め定めた第一の閾値を超えた場合、眩しさを低減させる処理を行う画素の範囲を移動方向に拡張させる
請求項１記載の投射型投影装置。
【請求項３】
防眩処理手段は、頭部の移動量が予め定めた第二の閾値を下回った場合、眩しさを低減させる処理を行う画素の範囲を収縮させる
請求項１または請求項２記載の投射型投影装置。
【請求項４】
防眩処理手段は、頭部領域の中心から離れるにつれて各画素の輝度を背景色に漸近させる
請求項１から請求項３のうちのいずれか１項に記載の投射型投影装置。
【請求項５】
防眩処理手段は、眩しさを低減させる処理を行う画素の範囲の変化を時間方向に平滑化する
請求項１から請求項４のうちのいずれか１項に記載の投射型投影装置。
【請求項６】
防眩処理手段は、移動方向および移動量に基づいて、眩しさを低減させる領域として予め定められたパタンを選択し、当該パタンにより特定される領域の画素に眩しさを低減させる処理を行う
請求項１記載の投射型投影装置。
【請求項７】
投影手段から投影される投影画像と移動体とを共に撮影した画像である撮影画像から移動体の頭部領域を検出し、
前記撮影画像から検出された頭部領域の時系列の変化に基づいて、前記移動体の頭部の移動方向および移動量を算出し、
前記頭部領域に対応する前記投影画像の各画素に眩しさを低減させる処理を行い、当該処理において、前記移動方向および移動量に基づいて、眩しさを低減させる処理を行う画素を変化させる
ことを特徴とする光防眩方法。
【請求項８】
頭部の移動量が予め定めた第一の閾値を超えた場合、眩しさを低減させる処理を行う画素の範囲を移動方向に拡張させる
請求項７記載の光防眩方法。
【請求項９】
コンピュータに、
投影手段から投影される投影画像と移動体とを共に撮影した画像である撮影画像から移動体の頭部領域を検出する頭部検出処理、
前記撮影画像から検出された頭部領域の時系列の変化に基づいて、前記移動体の頭部の移動方向および移動量を算出する動き検知処理、および、
前記頭部領域に対応する前記投影画像の各画素に眩しさを低減させる処理を行う防眩処理を実行させ、
前記防眩処理で、前記移動方向および移動量に基づいて、前記眩しさを低減させる処理を行う画素を変化させる
ことを特徴とする光防眩用プログラム。
【請求項１０】
コンピュータに、
防眩処理で、頭部の移動量が予め定めた第一の閾値を超えた場合、眩しさを低減させる処理を行う画素の範囲を移動方向に拡張させる
請求項９記載の光防眩用プログラム。
【発明の詳細な説明】
【技術分野】
【０００１】
本発明は、画像を投影する際に投射される光の眩しさを低減させる投射型投影装置、光防眩方法、および光防眩用プログラムに関する。
【背景技術】
【０００２】
スクリーンに画像を投影するプロジェクタを用いてプレゼンテーションを行う場合、プレゼンタは、投影される画像の前に立って説明する機会が多くなる。この場合、プロジェクタから投影される光がプレゼンタの目に直接照射されることになるため、プレゼンタは、その光を非常に眩しく感じることが多い。そのため、プレゼンタが感じる眩しさを緩和するように画像を投影する方法が各種知られている。【０００３】
非特許文献１には、話者がプロジェクタの前に立っても眩しくないようにプロジェクタの光を調整するプロジェクタシステムが記載されている。非特許文献１に記載されたプロジェクタシステムは、スクリーンと話者を含む画像から話者の顔領域を検出し、検出した領域に円形の黒マスク画像を重畳して表示する。【０００４】
なお、非特許文献２には、高照度の環境で人物を検出する精度を高める人物検出方法が記載されている。非特許文献２に記載された方法では、投影画像と、その投影画像をカメラで撮影した撮影画像との間で輝度調整を行い、輝度調整後の画像間で差分画像を作成することにより、人物を検出する。
【先行技術文献】
【非特許文献】
【０００５】
【非特許文献１】玉置純也、村上和人、「眩しくないプロジェクタシステムの提案」、情報処理学会研究報告、ＣＶＩＭ−１６３、情報処理学会、２００８年５月１日、ｐ．４３−４６
【非特許文献２】玉置純也、村上和人、「高照度環境における顔検出とその応用」、映像情報メディア学会技術報告、３３（３４）、２００９年８月２７日、ｐ．５３−５４
【発明の概要】
【発明が解決しようとする課題】
【０００６】
プレゼンタの眩しさを軽減させるためには、プレゼンタに投射される光を軽減することが有効である。一方、投影されるスライドは、視聴者にとって重要な資料である。そのため、投射される光を軽減する範囲は、できるだけ利用者の頭部周辺であることが望ましい。そのため、プレゼンタの頭部を適切に認識して、その部分の光を軽減することが望まれる。【０００７】
一方で、スライドの前に立つプレゼンタは、必ずしも一箇所に留まって説明をするとは限らない。プレゼンタは、例えば、スライドの内容等に応じて、立つ位置を変えて説明することがある。【０００８】
プレゼンタの頭部を認識し、その部分の光を低減する処理には、一定の時間を要する。すなわち、プレゼンタの頭部への光を低減するには、一定の処理遅延が生ずる。そのため、非特許文献１に記載された方法では、プレゼンタが移動すると光を軽減する部分がプレゼンタの実際の顔の位置からずれてしまい、眩しさを軽減できないという問題がある。【０００９】
そこで、本発明は、高照度の光を投射して画像を投影する際、画像の投影方向に存在する人物が移動する場合であっても、その人物に投射される光の眩しさを精度よく低減できる投射型投影装置、光防眩方法、および光防眩用プログラムを提供することを目的とする。
【課題を解決するための手段】
【００１０】
本発明による投射型投影装置は、投影手段から投影される投影画像と移動体とを共に撮影した画像である撮影画像から移動体の頭部領域を検出する頭部検出手段と、撮影画像から検出された頭部領域の時系列の変化に基づいて、移動体の頭部の移動方向および移動量を算出する動き検知手段と、頭部領域に対応する投影画像の各画素に眩しさを低減させる処理を行う防眩処理手段とを備え、防眩処理手段が、移動方向および移動量に基づいて、眩しさを低減させる処理を行う画素を変化させることを特徴とする。【００１１】
本発明による光防眩方法は、投影手段から投影される投影画像と移動体とを共に撮影した画像である撮影画像から移動体の頭部領域を検出し、撮影画像から検出された頭部領域の時系列の変化に基づいて、移動体の頭部の移動方向および移動量を算出し、頭部領域に対応する投影画像の各画素に眩しさを低減させる処理を行い、その処理において、移動方向および移動量に基づいて、眩しさを低減させる処理を行う画素を変化させることを特徴とする。【００１２】
本発明による光防眩用プログラムは、コンピュータに、投影手段から投影される投影画像と移動体とを共に撮影した画像である撮影画像から移動体の頭部領域を検出する頭部検出処理、撮影画像から検出された頭部領域の時系列の変化に基づいて、移動体の頭部の移動方向および移動量を算出する動き検知処理、および、頭部領域に対応する投影画像の各画素に眩しさを低減させる処理を行う防眩処理を実行させ、防眩処理で、移動方向および移動量に基づいて、眩しさを低減させる処理を行う画素を変化させることを特徴とする。
【発明の効果】
【００１３】
本発明によれば、高照度の光を投射して画像を投影する際、画像の投影方向に存在する人物が移動する場合であっても、その人物に投射される光の眩しさを精度よく低減できる。
【図面の簡単な説明】
【００１４】
【図１】本発明による投射型投影装置の一実施形態を示すブロック図である。
【図２】減光領域の位置を変化させる例を示す説明図である。
【図３】減光領域の形状を変化させる例を示す説明図である。
【図４】投射型投影装置の動作例を示すフローチャートである。
【図５】本発明による投射型投影装置の概要を示すブロック図である。
【発明を実施するための形態】
【００１５】
以下、本発明の実施形態を図面を参照して説明する。
【００１６】
図１は、本発明による投射型投影装置の一実施形態を示すブロック図である。本実施形態の投射型投影装置は、幾何補正手段１０１と、頭部検出手段１０４と、動き検知手段１０７と、防眩処理手段１０５とを備えている。
【００１７】
幾何補正手段１０１は、カメラが撮影した画像（以下、カメラ画像と記す。）を入力し、投射型投影装置がスクリーンに投影するスライドの画像（以下、スライド画像と記す。）の形状に合わせてカメラ画像を幾何補正する。
【００１８】
具体的には、プロジェクタが長方形のスライド画像を投影している場合、幾何補正手段１０１は、カメラが撮影したカメラ画像をスライド画像の形状に合わせて長方形に幾何補正する。以下、幾何補正手段１０１が幾何補正したカメラ画像を幾何補正画像と記すこともある。幾何補正の方法は、例えば、射影変換行列を利用する方法など、広く知られた一般的な方法が用いられる。
【００１９】
ここで、カメラ画像は、スクリーンに投影されたスライド画像を撮影した画像である。また、スクリーンに投影されるスライド画像の前にプレゼンタが立って説明をするような場合、スライド画像とプロジェクタとの間にプレゼンタが存在することになる。この場合、カメラ画像とは、スライド画像とともにプレゼンタを撮影した画像を意味する。本実施形態では、カメラ画像と記した場合、スライド画像が撮影された画像、またはスライド画像とプレゼンタとが共に撮影された画像を意味する。
【００２０】
また、カメラ画像として撮影されるプレゼンタは、スライド画像を投影している間移動する物体であることから、以下の説明では、プレゼンタのことを移動体と記すこともある。また、スライドの視聴者からの観点から、スライド映像のことを背景と記し、スライド映像の前に存在するプレゼンタのことを前景と記すこともある。
【００２１】
頭部検出手段１０４は、カメラ画像から移動体の頭部領域を検出する。頭部検出手段１０４は、例えば、３６０度の様々な方向から見た頭部のパターンを記述するテンプレートや特徴量を用いて、パターン認識により頭部を検出してもよい。なお、人物等を含む画像から頭部領域を検出する方法は広く知られているため、ここでは詳細な説明は省略する。
【００２２】
頭部検出手段１０４は、検出した頭部領域を示す情報（以下、頭部情報と記すこともある。）を、動き検知手段１０７と防眩処理手段１０５に入力する。
【００２３】
動き検知手段１０７は、移動体の動きを検知する。具体的には、動き検知手段１０７は、カメラ画像から検出された頭部領域の時系列の変化に基づいて、移動体の頭部の移動方向および移動量を算出する。頭部の移動量とは、例えば、頭部が移動する速度である。
【００２４】
動き検知手段１０７は、例えば、頭部検出手段１０４から入力されたあるフレームの頭部情報と、その前に入力されたフレームの頭部情報と比較して、頭部が移動する方向および動き量を算出してもよい。すなわち、動き検知手段１０７は、カメラ画像から検出された頭部領域のフレーム間の変化に基づいて、移動体の移動方向および移動量を算出してもよい。この場合、動き検知手段１０７は、フレーム間で頭部が検出された位置（例えば、頭部の中心や重心の位置）の差を算出することで、移動体の移動量を算出できる。
【００２５】
他にも、動き検知手段１０７は、フレーム間で頭部の対応点に対してブロックマッチング法またはテンプレートマッチング法を用いることにより、移動方向および移動距離を算出してもよい。なお、複数の画像から検出される移動体の移動方向および移動量をブロックマッチング法やテンプレートマッチング法を用いて算出する方法は広く知られているため、ここでは、詳細な説明は省略する。
【００２６】
このように、時系列に変化する頭部領域の位置を示す情報から頭部の移動方向および移動量を算出できる方法であれば、動き検知手段１０７は、他の方法を用いてもよい。
【００２７】
防眩処理手段１０５は、頭部領域に対応するスライド画像の各画素に眩しさを低減させる処理を行う。その際、防眩処理手段１０５は、動き検知手段１０７によって算出された頭部の移動方向および移動量に基づいて、眩しさを低減させる処理を行う画素を変化させる。
【００２８】
具体的には、防眩処理手段１０５は、頭部の移動方向および移動量に基づいて輝度を低減させる領域（以下、減光領域と記すこともある。）の位置または形状を変化させる。移動量が大きい場合、防眩処理手段１０５は、減光領域を移動方向に移動させてもよく、減光領域を移動方向に伸ばすようにしてもよい。例えば、移動方向が横方向であるとすると、防眩処理手段１０５は、移動量の大きさに比例させて長軸が長くなる横長の楕円を減光領域として適用することが考えられる。
【００２９】
防眩処理手段１０５は、減光領域の形状（例えば、楕円の形状）を、防眩処理を行うたびに決定してもよい。防眩処理手段１０５は、例えば、予め定めた閾値よりも移動量が大きくなった場合（すなわち、移動体の速度が速くなった場合）、移動方向に減光領域を拡張してもよい。このようにすることで、移動体が移動する方向に防眩処理が行われるため、移動体に投射される光の眩しさを精度よく低減できる。
【００３０】
一方、防眩処理手段１０５は、予め定めた閾値よりも移動量が小さくなった場合（すなわち、移動体の速度が遅くなった場合）、減光領域を収縮させてもよい。例えば、防眩処理手段１０５は、移動体が停止した場合に、減光領域を収縮させてもよい。このようにすることで、不要な防眩処理が抑制されるので、スライド画像を効率よく投影できる。
【００３１】
さらに、防眩処理手段１０５は、移動方向および移動量に応じて減光領域の形状を決定してもよい。また、防眩処理手段１０５は、加速度（すなわち、移動体のスピードの変化量）が予め定めた範囲の閾値を超えた場合に、減光領域の再計算を行うようにしてもよい。
【００３２】
図２は、減光領域の位置を変化させる例を示す説明図である。また、図３は、減光領域の形状を変化させる例を示す説明図である。
【００３３】
図２に例示するように、防眩処理が施された状態で、移動体の頭部が右方向Ａ１に移動したことが検知された場合、防眩処理手段１０５は、算出された移動量に応じて減光領域を右方向に移動させてもよい。
【００３４】
また、図３に例示するように、防眩処理が施された状態で、移動体の頭部が右方向Ａ２（または右下方向Ａ３）に移動したことが検知された場合、防眩処理手段１０５は、算出された移動量に応じて減光領域を右方向Ａ２（または、右下方向Ａ３）に拡張するように変形させてもよい。
【００３５】
防眩処理手段１０５は、頭部領域に含まれる画素の輝度値を一律に（例えば輝度値を０に）低減させてもよく、中心から離れるにつれて輝度が背景色に漸近する楕円や円などのパタン図形を頭部領域にかぶせることにより輝度を低減させてもよい。そのようにすることで、不要な防眩処理が抑制されるので、スライド画像を効率よく投影できる。また、減光領域の境界がぼやけるため、減光領域の視覚的なインパクトを緩和できる。また、減光領域は、頭部領域に一致させる必要はなく、頭部領域中心付近の長方形領域であってもよい。
【００３６】
また、頭部検出手段１０４が頭部の向きまで検知している場合、防眩処理手段１０５は、頭部前方の目が存在する可能性が高い領域の輝度を低減させてもよい。また、通常、プレゼンタは動いている方向を向いていることが多いことを考慮し、頭部検出手段１０４が頭部の向きを検知していない場合であっても、防眩処理手段１０５は、顔領域のうち動き検知手段１０７により検知された移動方向に目の領域が存在する可能性が高いと判断してもよい。この場合、防眩処理手段１０５は、その目の領域を中心として輝度を低減させるようにしてもよい。
【００３７】
このように、眩しさを低減させる処理を行う画素を変化させることで、移動体に大きな動きがある場合でも、効果的に防眩できるようになる。さらに、防眩処理を行うたびに輝度を低減させる形状を変化させることで、移動体に投射される光の眩しさを精度よく低減できる。
【００３８】
なお、減光領域の位置や大きさ、形状を急激に変化させると、減光領域が不連続に飛ぶように見える場合があり、かえって目障りになるおそれがある。これを回避するため、防眩処理手段１０５は、減光領域の位置や大きさ、形状の変化を時間方向に平滑化する処理（以下、平滑化処理と記すこともある。）を行ってもよい。
【００３９】
以下、防眩処理手段１０５が減光領域の位置の変化を時間方向に平滑化する処理を説明する。現在の時刻をｔとし、現在よりも前の時刻をｔ−ｎ（ｎ＝１，２，…，Ｎ）とする。また、時刻ｔ−ｎにおける減光領域の画像上での位置をＶ（ｔ−ｎ）とし、現在の時刻ｔにおいて、頭部の動きを考慮して算出された減光領域の位置をＸ（ｔ）とする。このとき、時刻ｔにおける減光領域を時間方向に平滑化した後の位置Ｖ（ｔ）は、以下に示す式１を用いて算出される。
【００４０】
V(t) = S( X(t), V(t-1), V(t-2),…,V(t-N) )    （式１）
【００４１】
式１の右辺は、位置を平滑化する関数を表す。例えば、式１は、以下に示す式２のように表わすことが可能である。
【００４２】
V(t)=w0X(t)+w1V(t-1)+w2V(t-2)+…+wNV(t-N)   （式２）
【００４３】
式２において、wn（≧０）は重みづけ係数であり、以下の関係を満たす。
【００４４】
w0+w1+w2+…+wN=1
【００４５】
ただし、位置を平滑化する関数は、式１の右辺の内容に限定されない。位置を平滑化する関数は、ローパス特性を有する関数であれば、他の形式で表わされる関数であってもよい。
【００４６】
以上、防眩処理手段１０５が減光領域の位置の変化を時間方向に平滑化する処理を説明した。なお、防眩処理手段１０５は、減光領域の大きさや形状の変化についても同様に平滑化処理を行ってもよい。
【００４７】
防眩処理手段１０５は、大きさを決定するパラメータを、位置について平滑化した方法と同様の方法で時間方向に平滑化することで、減光領域の大きさを変化させてもよい。例えば、減光領域が円形である場合、防眩処理手段１０５は、大きさを決定するパラメータに円の半径を用いてもよい。
【００４８】
また、防眩処理手段１０５は、形状を決定するパラメータを、位置について平滑化した方法と同様の方法で時間方向に平滑化することで、減光領域の大きさを変化させてもよい。例えば、減光領域が楕円形である場合、防眩処理手段１０５は、大きさを決定するパラメータに、楕円の長軸と短軸の長さ、およびその方向を用いてもよい。
【００４９】
また、防眩処理手段１０５は、位置、大きさおよび形状のそれぞれに対して、時間方向に平滑化するための重みづけ係数の個数（上述のＮ）や、重みづけ係数の値を変えてもよい。さらに、防眩処理手段１０５は、複数の人が画面内に存在する場合、上述する時間方向の平滑化処理を人ごとに行ってもよい。
【００５０】
一方、防眩処理手段１０５は、その都度減光領域を計算するのではなく、移動方向および移動量に応じて眩しさを低減させる領域（例えば、楕円）のパタンを予め保持しておき、動き検知手段１０７によって算出された移動方向および移動量に応じてそのパタンを選択してもよい。この場合、防眩処理手段１０５は、選択された楕円のパタンをスライド画像の頭部領域に対応する位置に重畳させて、眩しさを低減させてもよい。
【００５１】
なお、予め保持しておく楕円のパタンとして、例えば、上下左右および斜め方向の８方向と、所定の移動量の範囲ごとに定めたパタンが挙げられる。この場合、防眩処理手段１０５は、移動方向とのなす角が最も狭い方向のパタンであって、かつ、算出した移動量の範囲内に対応するパタンを選択すればよい。また、予め保持するパタンは楕円に限定されず、矩形等などの多角形であってもよい。
【００５２】
このように、予め防眩処理を行う領域のパタンを設定しておくことにより、防眩処理を行う領域をその都度算出する方法に比べ、演算負荷を減らすことができる。
【００５３】
また、防眩処理手段１０５は、投射型投影装置（具体的には、幾何補正手段１０１、頭部検出手段１０４、動き検知手段１０７等）が行う処理による処理遅延を考慮して、眩しさを低減させる処理を行う画素を変化させてもよい。具体的には、防眩処理手段１０５は、頭部の移動方向に対して処理遅延に応じた移動量分ずらした位置をスライド画像投影時のプレゼンタの頭部と予測する。そこで、防眩処理手段１０５は、その予測した位置に対応するスライド画像の各画素について眩しさを低減させる処理を行えばよい。
【００５４】
なお、投射型投影装置が行う処理による処理遅延が予め設定される場合、防眩処理手段１０５は、予め設定された処理遅延に基づいてプレゼンタの頭部位置を予測してもよい。
【００５５】
また、防眩処理手段１０５は、投射型投影装置が行う処理による処理遅延を動的に算出してもよい。防眩処理手段１０５は、例えば、スライドに特定パタンを照射してから、そのパタンがカメラ画像として撮影されるまでの時刻を算出することで、処理遅延を算出してもよい。他にも、防眩処理手段１０５は、スライドの切り替わり位置において、スライド画像のカット点とカメラ画像のカット点の位置のずれを測定することで処理遅延を算出してもよい。
【００５６】
なお、処理遅延を動的に算出する場合、処理遅延は一定ではなく、ある程度の範囲にばらつくことが考えられる。そこで、防眩処理手段１０５は、１回の測定結果からだけではなく、複数回の測定結果から統計的に算出（例えば平均やモード、メディアン値を算出）する方が処理遅延の精度が高くなるため、より好ましい。
【００５７】
幾何補正手段１０１と、頭部検出手段１０４と、動き検知手段１０７と、防眩処理手段１０５とは、プログラム（光防眩用プログラム）に従って動作するコンピュータのＣＰＵによって実現される。例えば、プログラムは、投射型投影装置の記憶部（図示せず）に記憶され、ＣＰＵは、そのプログラムを読み込み、プログラムに従って、幾何補正手段１０１、頭部検出手段１０４、動き検知手段１０７および防眩処理手段１０５として動作してもよい。また、幾何補正手段１０１と、頭部検出手段１０４と、動き検知手段１０７と、防眩処理手段１０５とは、それぞれが専用のハードウェアで実現されていてもよい。
【００５８】
次に、本実施形態の投射型投影装置の動作を説明する。図４は、本実施形態の投射型投影装置の動作例を示すフローチャートである。
【００５９】
幾何補正手段１０１は、カメラ画像を幾何補正する（ステップＳ２１）。頭部検出手段１０４は、カメラ画像から移動体の頭部領域を検出する（ステップＳ２２）。動き検知手段１０７は、カメラ画像から検出された頭部領域の時系列の変化に基づいて、移動体の頭部の移動方向および移動量を算出する（ステップＳ２３）。
【００６０】
防眩処理手段１０５は、算出された移動方向および移動量に基づいて、頭部領域に対応するスライド画像の各画素に眩しさを低減させる処理を行う（ステップＳ２４）。例えば、頭部の移動量が予め定めた第一の閾値を超えた場合、防眩処理手段１０５は、眩しさを低減させる処理を行う画素の範囲を移動方向に拡張させてもよい。この際、拡張する程度を、移動量に応じて大きくなるようにしてもよい。例えば、移動量に比例して拡張させる度合いを制御してもよい。
【００６１】
一方、頭部の移動量が予め定めた第二の閾値を下回った場合、防眩処理手段１０５は、眩しさを低減させる処理を行う画素の範囲を収縮させてもよい。このとき、移動体の目の領域が特定されている場合、防眩処理手段１０５は、その目の領域を中心として範囲を収縮させてもよい。なお、第一の閾値は、第二の閾値よりも大きい値が設定される。
【００６２】
以上のように、本実施形態によれば、頭部検出手段１０４が、カメラ画像から移動体の頭部領域を検出し、動き検知手段１０７が、カメラ画像から検出された頭部領域の時系列の変化に基づいて、移動体の頭部の移動方向および移動量を算出する。そして、防眩処理手段１０５が、頭部領域に対応するスライド画像の各画素に眩しさを低減させる処理を行う。その際、防眩処理手段１０５は、移動方向および移動量に基づいて、眩しさを低減させる処理を行う画素を変化させる。
【００６３】
そのため、高照度の光を投射して画像を投影する際、画像の投影方向に存在する人物が移動する場合であっても、その人物に投射される光の眩しさを精度よく低減できる。
【００６４】
すなわち、本実施形態では、動き検知手段１０７がプレゼンタの移動量を検知し、防眩処理手段１０５が移動量と処理遅延を考慮して、輝度を低減させる領域をプレゼンタの移動方向の前方にずらす。すなわち、防眩処理手段１０５が頭部の位置を予測することによって、処理遅延の影響を軽減する。そのため、プレゼンタが動いている場合であっても、投影される光による眩しさを低減できる。
【００６５】
次に、本発明による投射型投影装置の概要を説明する。図５は、本発明による投射型投影装置の概要を示すブロック図である。本発明による投射型投影装置は、投影手段（例えば、プロジェクタ）から投影される投影画像（例えば、スライド画像）と移動体（例えば、人物）とを共に撮影した画像である撮影画像（例えば、カメラ画像）から移動体の頭部領域を検出する頭部検出手段８１（例えば、頭部検出手段１０４）と、撮影画像から検出された頭部領域の時系列の変化に基づいて、移動体の頭部の移動方向および移動量を算出する動き検知手段８２（例えば、動き検知手段１０７）と、頭部領域に対応する投影画像の各画素に眩しさを低減させる（例えば、輝度を低減させる）処理を行う防眩処理手段８３（例えば、防眩処理手段１０５）とを備えている。
【００６６】
防眩処理手段８３は、移動方向および移動量に基づいて、眩しさを低減させる処理を行う画素を変化させる。
【００６７】
そのような構成により、高照度の光を投射して画像を投影する際、画像の投影方向に存在する人物が移動する場合であっても、その人物に投射される光の眩しさを精度よく低減できる。
【００６８】
また、防眩処理手段８３は、頭部の移動量が予め定めた第一の閾値を超えた場合、眩しさを低減させる処理を行う画素の範囲を移動方向に拡張させてもよい。このような構成により、移動体が移動する方向に防眩処理が行われるため、移動体に投射される光の眩しさを精度よく低減できる。この際、拡張する程度を、移動量に応じて大きくなるようにしてもよい。例えば、移動量に比例して拡張させる度合いを制御してもよい。
【００６９】
また、防眩処理手段８３は、頭部の移動量が予め定めた第二の閾値を下回った場合、眩しさを低減させる処理を行う画素の範囲を収縮させてもよい。このような構成により、不要な防眩処理が抑制されるので、スライド画像を効率よく投影できる。
【００７０】
また、防眩処理手段８３は、頭部領域の中心から離れるにつれて各画素の輝度を背景色に漸近させてもよい。このような構成により、移動体が移動する方向に防眩処理が行われるため、移動体に投射される光の眩しさを精度よく低減できる。また、減光領域の境界がぼやけるため、減光領域の視覚的なインパクトを緩和できる。
【００７１】
また、防眩処理手段８３は、移動方向および移動量に基づいて、眩しさを低減させる領域として予め定められたパタンを選択し、そのパタンにより特定される領域の画素に眩しさを低減させる処理を行ってもよい。このように、予め防眩処理を行う領域のパタンを設定しておくことにより、防眩処理を行う領域をその都度算出する方法に比べ、演算負荷を減らすことができる。
【００７２】
以上、実施形態及び実施例を参照して本願発明を説明したが、本願発明は上記実施形態および実施例に限定されるものではない。本願発明の構成や詳細には、本願発明のスコープ内で当業者が理解し得る様々な変更をすることができる。
【００７３】
この出願は、２０１２年６月１５日に出願された日本特許出願２０１２−１３５４００を基礎とする優先権を主張し、その開示の全てをここに取り込む。
【産業上の利用可能性】
【００７４】
本発明は、画像を投影する際に投射される光の眩しさを低減させる投射型投影装置に好適に適用される。
【符号の説明】
【００７５】
１０１  幾何補正手段
１０４  頭部検出手段
１０５  防眩処理手段
１０７  動き検知手段
【図１】
2013186994.tif 000003
【図２】
2013186994.tif 000004
【図３】
2013186994.tif 000005
【図４】
2013186994.tif 000006
【図５】
2013186994.tif 000007
【国際調査報告】
2013186994.tif 000008
2013186994.tif 000009